(57)【要約】【課題】本発明は、配管内の流体の停滞を無くす事により、初期火災を防ぐ水道連結消化回路を兼ね備えた給水、給湯ヘッダーを、提供する。【解決手段】必要数の分岐管を、同心円上に並べ、各分岐管内に内管を通し、いずれかの分岐管の流体の動きを、ベンチュリー効果に変え、他の分岐管内流体の停滞を解消する。【選択図】図１
2019184215.tif 000002
【特許請求の範囲】
【請求項１】
配管取付け位置を円形に配置した、給水、給湯ヘッダー。
【請求項２】
分岐管内に内管を差し込み、ベンチュリー効果の負圧により内管内の流体を抜き取る装置。
【請求項３】
円形ヘッダー本体内に、複数の形態の異なる、負圧発生部を組み込んだ給水、給湯ヘッダー。
【請求項４】
ポンプによる、ヘッダー部分のみの流体循環で、他の内管入り分岐管の循環を、促す装置。
【請求項５】
給湯及び、給水配管設備を、水道連結消化回路として使用できる配管方法。
【発明の詳細な説明】
【技術分野】本発明は、円形ヘッダーにより、分岐された枝管内の、末端まで、内管を差し込み、枝管内の停滞を無くす装置である。【０００１】円形ヘッダー内で、分岐管の、外管と内管に、ベンチュリー管による、圧力差を発生させ、分岐管内の循環装置である。
【背景技術】
【０００２】本発明は、先願、特開２０１８―−０４８７９７の作用、作動をもとに、流水量を更に高めた考案である。【０００３】近年の、家庭用給水、給湯配管は、樹脂管によるヘッダー方式が主流となり、省力化されたが、必然的に分岐管が長くなり、停滞水の量も増し、弊害も増した。
【発明が解決しようとする課題】
【０００４】分岐管内の停滞の弊害として、給湯温度の低下、給水管の凍結、水質の悪化が、あげられるが、循環する事によりそれらの、全ての弊害を、解決する事が出来る。
【発明の概要】
【０００５】  本考案は、その循環方法として、安価な資材で、安定した、省エネルギーな、循環方法として、ベンチュリー効果の、負圧を利用する考案である。
【０００６】  円形ヘッダーに接続された、分岐管の一部、又は、複数の分岐管の、先端器具が開栓された時は、必然的に、開栓された分岐管中に留まる流体の停滞は、解消されるが、その開栓された分岐管の流体の動きにより、他の開栓されない、分岐管内の、停滞した流体を、円形ヘッダー方向に、移動させる、考案である。
【０００７】  まず、円形ヘッダー本体（１）に、必要数取付けた、内管（１７）入り、分岐管（２）、を、当出願図面は、説明上暫定８本としているが、その８本の、分岐管（２）の１本又は複数の分岐管の、先端器具の、蛇口等が開栓され、かつ、その水量が、少量の時の作動を説明する。
【０００８】円形ヘッダー本体（１）に付けられた、流入口（８）から入った水、又は温水、以後本説明では、温水、とする。
【０００９】水量の少ない、流れは、主流通路に付けられた本流逆止弁（３）を、押し上げる力が無く、隔壁（４）に遮られた、小流量時調圧漕（５）の中にある、小流量時ベンチュリー管（１０）の、流入口（１１）から、小流量時調圧漕（５）向かうが、狭められた通路（１６）のベンチュリー効果により、内管（１７）の、ヘッダー側口（９）に負圧を発生させ、分岐管（２）の中の内管（１７）内の、停滞した、温水を抜き取る。
【００１０】小流量時ベンチュリー管（１０）は、小流量時調圧漕（５）の中に、円形ヘッダー本体（１）に取り付けた分岐管（２）の数だけ組み込まれており、その各々の、狭められた通路（１６）は極めてせまく、一か所では通水量を、通す事が出来ず、組み込まれた、小流量時ベンチュリー管（１０）全てに、平均に流れこみ、開栓された、分岐管（２）以外の分岐管内管（１７）にも、負圧を発生させ、分岐管内の停滞水を、円形ヘッダー本体（１）に戻す。
【００１１】小流量時調圧漕（５）を、満たした水は、ポンプ稼働時閉鎖弁（６）を経て、円形ヘッダー本体（１）の、分配室（１２）を満たし、開栓された分岐管（２）に流れる。
【００１２】この作動は、円形ヘッダー本体（１）に付けられた分岐管全てに作用し、流れた水量継続時間に応じて、他の開栓されない分岐管内の、停滞温水の循環を促す。
【００１３】次に、分岐管の先端器具が大きく開かれた場合、又は分岐管先端器具が、同時に多数大きく開かれた場合、当然、当説明上の８カ所の、小流量時ベンチュリー管（１０）では通水量が、確保できず、分配室（１２）と、連結主水路（１３）の、水圧がさがる。
【００１４】分配室（１２）と、連結主水路（１３）内の圧力が下がり、小水量の時は押し上げる事が出来なかった、本流逆止弁（３）を、大量の流水、水圧で、押上げ、大容量の水を流す事が出来る。
【００１５】この大量の流水は、小流量時調圧漕（５）の中心に有る、小流量時ベンチュリー管（１０）の中心を通る時、多水量時ベンチュリー管（１５）により、負圧を発生させ、小流量時調圧漕（５）内の、全体を負圧化するが、ポンプ稼働時閉鎖弁（６）に阻まれ開栓されていない内管（１７）の停滞水のみで、同圧化する。
よって、多水量時も、分岐管（２）内の温水循環が始まる。
【００１６】次に、全ての分岐管の先端器具が閉ざされ装置全体の流れが止まった時は、停滞時間、外気温、配管保温状態、等にもよるが、分岐管内の湯温は、いずれ、周辺温度と、同温になる。
【００１７】外気温が、氷点下の時は、温水の場合は冷め、冷水の場合は、凍結が、始まる。
【００１８】この、弊害を防ぐ手段として、強制循環ポンプを、配置する。
【００１９】この強制循環ポンプの、ポンプ吸い込み口（１５）は、小流量時調圧漕（５）に取り付け、逆止弁を経て、給水口（８）のポンプ送り口（１８）戻し、小流量時ベンチュリー管（１０）を、ポンプ稼働中は、連続循環作動する事が出来る。
【００２０】内管（１７）は、分岐管（２）の先端器具の直前までさしこまれており、停滞し冷めた温水を、円形ヘッダー本体にもどす。
【００２１】一般家庭の配管配置として、全ての分岐管が、厳しい外気にさらされているのでは無く、地中、壁の中、床下、天井裏、等様々で、各分岐管内の水温も様々である。
【００２２】これら様々な、水温の、分岐管温度を、一旦円形ヘッダー本体に戻し、平均化し給水配管では、凍結しやすい外水栓を、凍結から守り、給湯配管では、蛇口毎の温度変化を防ぐ発明である。
【００２３】一般家庭の配管配置としての給水カ所は、４から５カ所であるが、当出願では、暫定８カ所である。したがって、３から４本の分岐管を、水道連結湿消火、スプリンクラー設備用配管、として設置、使用する事が出来る。
【００２４】水道連結湿式消火スプリンクラー設備は、配管内の水質を厳しく問われるが、本考案は、全て分岐管の末端まで循環する事が出来、配管の自在性により、一般家庭や、アパート、高齢者向け住宅、障害者住宅、取付け義務の無い小店舗、等に、簡単に設置でき、災害を未然に防ぐ考案である。
【発明の効果】
【００２５】住宅設備に欠かせない、給水、給湯設備を施工する時、同時に消火設備工事が施工出来、かつ、施工した配管の互換性があるため後の設計変更が容易である。【００２６】給水に使用すれば、凍結防止効果があり、電熱式凍結防止帯使用による、異常加熱、発火等の、危険が無い。【００２７】ポンプによる、強制循環も、円形ヘッダー本体内部の、循環だけで配管全体の、循環を可能とし、低揚程、低流量のポンプで良く、経済的である。【００２８】循環量が少量で、配管内の温度維持に最適な、循環量である。【００２９】既設ヘッダー方式の配管に、追加施工する事が出来る。【００３０】内管挿入の単管方式の為、施工の簡略化が出来、取付け場所の自由度が増す。
【図面の簡単な説明】
【００３１】
【図１】本発明の、配置概念図である。
【００３２】
【図２】本発明の、少流量時の水流の動きの概念図である。
【００３３】
【図３】本発明の、多水量時の水流の動きの概念図である。
【００３４】
【図４】本発明の、少流量時及び多水量時のベンチュリー効果発生部の、分解立体図である。
【図５】少流量時ベンチュリー管及び多水量時ベンチュリー管断面図である。
【発明の実施をするための形態】
【００３５】樹脂管又は、金属管をヘッダー配置場所よりＬ型継手を介さず所定の位置まで配管し、その配管末端まで、内管を差し込み後に、本発明の、円形ヘッダー本体に接続し通水する。
【００４５】消火用回路として使用するときは、１回路以上の通常的水栓を設置する事により、他の、非常時以外開かれない、スプリンクラー回路の停滞を防ぐ事が出来規、水道規定基準の水質確保ができる。
【００４６】円形ヘッダー本体の温度のみ、管理すれば配管全体の管理ができ、凍結防止及び全体の給湯温度管理が可能である。
【符号の説明】  １  円形ヘッダー本体
２  分岐管
３  本流逆止弁
４  隔壁Ａ
５  少流量時調圧漕
６  ポンプ稼働時閉鎖弁
７  本流逆止スプリング
８  流入口
９  少流量時ベンチュリー管流出
１０  少流量時ベンチュリー管
１１  少流量時ベンチュリー管流入口
１２  分配室
１３  連結主水路
１４  水流転換壁
１５  多水量時ベンチュリー管Ａ
１６  狭められた通路
１７  内管
１８  ポンプ送り口
２０  内管差込口
２１  多水量時ベンチュリー管Ｂ
【図１】
2019184215.tif 000003
【図２】
2019184215.tif 000004
【図３】
2019184215.tif 000005
【図４】
2019184215.tif 000006
【図５】
2019184215.tif 000007